(57)【要約】【課題】主に野菜類等の軽量物を収容、梱包し、開梱作業がワンタッチで容易に行え、且つ開梱に際し段ボール箱を傷めることが少なく、開梱後再使用が容易に可能である梱包用段ボール箱を提供したい。【解決手段】胴部を形成した後、第１ブロックＡ及び第３ブロックＣの第１蓋片Ｊ，Ｋを折り線ｉ，ｋから山折りして端縁を突き合わせ、胴部上を塞ぐ蓋片を形成し、欠部Ｊ１，Ｋ１を突き合わせて蓋片の中央部に開口部を形成し、前記凹部Ｊ２，Ｊ２，Ｋ２，Ｋ２により蓋片の前記開口部の両側に長孔部を形成し、第２ブロックＢ及び第４ブロックＤの第２蓋片Ｌ，Ｍを折り線ｊ，ｍから山折りし、第１ブロックＡ、第３ブロックＣの各第１蓋片Ｊ，Ｋで形成した蓋片の両側部上に重ね合わせ、第２蓋片の夫々に形成した前記凸片Ｌ１，Ｍ１を、前記蓋片の開口部両側の前記長孔部に差し込んで第２蓋片Ｌ，Ｍの夫々を蓋片に係合するようにした梱包用段ボール箱。【選択図】図１
0003124032.tif 000002
【実用新案登録請求の範囲】
【請求項１】
一枚の横長矩形の段ボール基板（１）の長辺に、短辺方向に設けた３本の折り線（ａ，ｂ，ｃ）を設け、第１折り線（ａ）の外側に横長の第１ブロック（Ａ）を形成し、第１の折り線（ａ）と第２の折り線（ｂ）との間に短い第２ブロック（Ｂ）を形成し、第２の折り線（ｂ）と第３の折り線（ｃ）との間に第１ブロックと同長の第３ブロック（Ｃ）を形成し、第３の折り線（ｃ）の外側に第２ブロックと同長の第４のブロック（Ｄ）を形成し、外側の第１又は第４ブロックの一方の外側には、短辺方向の折り線（ｄ）を介して幅狭の接合片（Ｅ）を一体に形成し、
前記第１〜第３の折り線（ａ，ｂ，ｃ）から第１〜第４のブロック（Ａ〜Ｄ）を山折りし、前記接合片（Ｅ）を第１又は第４ブロックの一方と接合して箱体の胴部を形成し、
前記第１〜第４ブロック（Ａ〜Ｄ）の下端に、前記折り線（ａ，ｂ，ｃ）と直交する長辺方向に下部折り線（ｅ〜ｈ）を設け、該下部折り線（ｅ〜ｈ）の下側には、各ブロック（Ａ〜Ｄ）の夫々と連続する底片（Ｆ，Ｇ，Ｈ，Ｉ）を一体に備え、
前記第１〜第４ブロック（Ａ〜Ｄ）の各底片（Ｆ，Ｇ，Ｈ，Ｉ）を折り線（ｅ〜ｈ）から山折りし、底片（Ｆ，Ｇ，Ｈ，Ｉ）の一部を上下に入り込ませることで前記箱体の胴部下端を塞ぐ底部を形成し、
前記第１〜第４ブロック（Ａ〜Ｄ）の上端には、前記下部折り線（ｅ〜ｈ）と平行する上部折り線（ｉ，ｊ，ｋ，ｍ）を設け、
第１ブロック（Ａ）及び第３ブロック（Ｃ）の上部折り線（ｉ，ｋ）の上側には、胴部の上方の１／２を塞ぐ対称形状の第１蓋片（Ｊ，Ｋ）を夫々設け、該第１蓋片（Ｊ，Ｋ）には、対称的に端縁に欠部（Ｊ１，Ｋ１）及び折り線方向に潜る平行する２個の凹部（Ｊ２，Ｊ２，Ｋ２，Ｋ２）を設け、
第２ブロック（Ｂ）及び第４ブロック（Ｄ）の上部折り線（ｊ，ｍ）の上側には、対称形状の第２蓋片（Ｌ，Ｍ）を夫々設け、第２蓋片（Ｌ，Ｍ）の夫々の端縁の中央部には凸片（Ｌ１，Ｍ１）を設け、
前記第１ブロック（Ａ）及び第３ブロック（Ｃ）の第１蓋片（Ｊ，Ｋ）を折り線（ｉ，ｋ）から山折りして端縁を突き合わせ、胴部上を塞ぐ蓋片を形成し、前記欠部（Ｊ１，Ｋ１）を突き合わせて蓋片の中央部に開口部を形成し、前記凹部（Ｊ２，Ｊ２，Ｋ２，Ｋ２）により蓋片の前記開口部の両側に長孔部を形成し、
前記第２ブロック（Ｂ）及び第４ブロック（Ｄ）の第２蓋片（Ｌ，Ｍ）を折り線（ｊ，ｍ）から山折りし、前記第１ブロック（Ａ）、第３ブロック（Ｃ）の各第１蓋片（Ｊ，Ｋ）で形成した蓋片の両側部上に重ね合わせ、第２蓋片の夫々に形成した前記凸片（Ｌ１，Ｍ１）を、前記蓋片の開口部両側の前記長孔部に差し込んで第２蓋片（Ｌ，Ｍ）の夫々を蓋片に係合するようにした、
ことを特徴とする梱包用段ボール箱。
【請求項２】
第２ブロック（Ｂ）及び第４ブロック（Ｄ）の折り線（ｊ，ｍ）の上側に設けた第２蓋片（Ｌ，Ｍ）の夫々には、前記折り線（ｊ，ｍ）と平行し、これの外側に外側折り線（ｎ，ｐ）を設け、該外側の折り線（ｎ，ｐ）を山折り可能とすることで、第２蓋片（Ｌ，Ｍ）の凸片（Ｌ１，Ｍ１）を蓋片の長孔から抜き出し易くしたことを特徴とする請求項１に記載の段ボール梱包箱。
【請求項３】
前記第２蓋片（Ｌ，Ｍ）の縁辺の中央部に形成した凸片（Ｌ１，Ｍ１）の両側には対称的に欠部（Ｌ２，Ｌ２，Ｍ２，Ｍ２）を設け、第２蓋片（Ｌ，Ｍ）を前記蓋片の両側部上に重ね合わせて凸片（Ｌ１，Ｍ１）と前記長孔とを係合させた際、蓋片の両側部上に露出する第２蓋片（Ｌ，Ｍ）の引き起こし時の指掛けとしたことを特徴とする請求項１に記載の梱包用段ボール箱。
【考案の詳細な説明】
【技術分野】
【０００１】
本考案は、主としてサラダ菜、レタスやサンチュのような葉物野菜等のような軽量物を梱包するのに好適な梱包用段ボール箱に関するものである。
【背景技術】
【０００２】
物品の梱包に段ボール箱が用いられているが、段ボール箱は一般的に、内部に物品を収容した後、左右の蓋部分の合わせ部をテープで貼着し、閉蓋状態を保持するように設定されている。
この場合、段ボール箱を開梱するには、貼着したテープを剥がす作業を必要とし、作業が面倒、煩雑であること、テープを剥離する過程で段ボール箱のテープ貼着部の表面組織が剥がれ、段ボール箱が損壊する等の事態が発生し、段ボール箱を傷つけることなく再使用することが難しく、経済的な点においても不利である。
【０００３】
従来、段ボール箱の開梱を容易化する考案が知られている（例えば、特許文献１参照。）。
【特許文献１】登録実用新案第３０１９０７１号公報
【０００４】
特許文献１の考案は、立方体からなる梱包用段ボール箱１０（同公報中の符号を用いる。以下同じ）の上面から前面にかけて蓋部１５を切り離す破断状切込部１６を連続して形成し、破断状切込部１６は、段ボール箱１０の前面上端寄りに延在し、終端部を傾斜させて破断状傾斜切込部１６Ａを形成し、破断状傾斜切込部１６Ａの両下端を水平な差込孔１７で繋げて設けてあり、蓋部を切り離す際、破断状傾斜切込部１６Ａとの境界部分引張力が集中的に加わり、蓋部１５が破断状傾斜切込部１６Ａに沿って切り離すことができる構成である。
蓋部１５を切り離すと、段ボール箱１０の上面から前面に跨る広い取出口２５を開けることができるものである。
【０００５】
以上の特許文献１の考案では、１回の操作で段ボール箱の蓋部を開き、開口面積の広い取出口を開口することができるが、段ボール箱から蓋部を切り離す作業が必要であり、開梱作業性の点で面倒、煩雑であり、開梱作業がしづらいこと、蓋部を段ボール箱の前面、上面から切り離して開梱するので、開梱により開口面積の大きな取出口は形成し得るが、開梱後の蓋片を含む段ボール箱は再使用ができず、開梱後の段ボール箱は廃棄せざるを得ず、経済的なデメリットが大きい。
本考案は、以上の問題点を解決すべくなされたものである。
【考案の開示】
【考案が解決しようとする課題】
【０００６】
本考案は、主に野菜類等の軽量物を収容、梱包し、開梱作業がワンタッチで容易に行え、且つ開梱に際し段ボール箱を傷めることが少なく、開梱後再使用が容易に可能である梱包用段ボール箱を提供することを課題とし、また、以上を簡素な構成、簡易な組み立て作業で得ることが可能である梱包用段ボール箱をも提供することを課題とする。
【課題を解決するための手段】
【０００７】
請求項１に係る考案は、梱包用段ボール箱であって、一枚の横長矩形の段ボール基板１の長辺に、短辺方向に設けた３本の折り線ａ，ｂ，ｃを設け、第１折り線ａの外側に横長の第１ブロックＡを形成し、第１の折り線ａと第２の折り線ｂとの間に短い第２ブロックＢを形成し、第２の折り線ｂと第３の折り線ｃとの間に第１ブロックと同長の第３ブロックＣを形成し、第３の折り線ｃの外側に第２ブロックと同長の第４のブロックＤを形成し、外側の第１又は第４ブロックの一方の外側には、短辺方向の折り線ｄを介して幅狭の接合片Ｅを一体に形成し、第１〜第３の折り線ａ，ｂ，ｃから第１〜第４のブロックＡ〜Ｄを山折りし、前記接合片Ｅを第１又は第４ブロックの一方と接合して箱体の胴部を形成し、第１〜第４ブロックＡ〜Ｄの下端に、前記折り線ａ，ｂ，ｃと直交する長辺方向に下部折り線ｅ〜ｈを設け、該下部折り線ｅ〜ｈの下側には、各ブロックＡ〜Ｄの夫々と連続する底片Ｆ，Ｇ，Ｈ，Ｉを一体に備え、第１〜第４ブロックＡ〜Ｄの各底片Ｆ，Ｇ，Ｈ，Ｉを折り線ｅ〜ｈから山折りし、底片Ｆ，Ｇ，Ｈ，Ｉの一部を上下に入り込ませることで前記箱体の胴部下端を塞ぐ底部を形成し、第１〜第４ブロックＡ〜Ｄの上端には、前記下部折り線ｅ〜ｈと平行する上部折り線ｉ，ｊ，ｋ，ｍを設け、第１ブロックＡ及び第３ブロックＣの上部折り線ｉ，ｋの上側には、胴部の上方の１／２を塞ぐ対称形状の第１蓋片Ｊ，Ｋを夫々設け、該第１蓋片Ｊ，Ｋには、対称的に端縁に欠部Ｊ１，Ｋ１及び折り線方向に潜る平行する２個の凹部Ｊ２，Ｊ２，Ｋ２，Ｋ２を設け、第２ブロックＢ及び第４ブロックＤの上部折り線ｊ，ｍの上側には、対称形状の第２蓋片Ｌ，Ｍを夫々設け、第２蓋片Ｌ，Ｍの夫々の端縁の中央部には凸片Ｌ１，Ｍ１を設け、第１ブロックＡ及び第３ブロックＣの第１蓋片Ｊ，Ｋを折り線ｉ，ｋから山折りして端縁を突き合わせ、胴部上を塞ぐ蓋片を形成し、前記欠部Ｊ１，Ｋ１を突き合わせて蓋片の中央部に開口部を形成し、前記凹部Ｊ２，Ｊ２，Ｋ２，Ｋ２により蓋片の前記開口部の両側に長孔部を形成し、第２ブロックＢ及び第４ブロックＤの第２蓋片Ｌ，Ｍを折り線ｊ，ｍから山折りし、前記第１ブロックＡ、第３ブロックＣの各第１蓋片Ｊ，Ｋで形成した蓋片の両側部上に重ね合わせ、第２蓋片の夫々に形成した前記凸片Ｌ１，Ｍ１を、前記蓋片の開口部両側の前記長孔部に差し込んで第２蓋片Ｌ，Ｍの夫々を蓋片に係合するようにしたことを特徴とする。
【０００８】
請求項２は、請求項１において、第２ブロックＢ及び第４ブロックＤの折り線ｊ，ｍの上側に設けた第２蓋片Ｌ，Ｍの夫々には、前記折り線ｊ，ｍと平行し、これの外側に外側折り線ｎ，ｐを設け、該外側の折り線ｎ，ｐを山折り可能とすることで、第２蓋片Ｌ，Ｍの凸片Ｌ１，Ｍ１を蓋片の長孔から抜き出し易くしたことを特徴とする。
【０００９】
請求項３に係る考案は、請求項１において、第２蓋片Ｌ，Ｍの縁辺の中央部に形成した凸片Ｌ１，Ｍ１の両側には対称的に欠部Ｌ２，Ｌ２，Ｍ２，Ｍ２を設け、第２蓋片Ｌ，Ｍを前記蓋片の両側部上に重ね合わせて凸片Ｌ１，Ｍ１と前記長孔とを係合させた際、蓋片の両側部上に露出する第２蓋片Ｌ，Ｍの引き起こし時の指掛けとしたことを特徴とする。
【考案の効果】
【００１０】
請求項１に係る考案では、胴部を形成した後、第１ブロックＡ及び第３ブロックＣの第１蓋片Ｊ，Ｋを折り線ｉ，ｋから山折りして端縁を突き合わせ、胴部上を塞ぐ蓋片を形成し、欠部Ｊ１，Ｋ１を突き合わせて蓋片の中央部に開口部を形成し、前記凹部Ｊ２，Ｊ２，Ｋ２，Ｋ２により蓋片の前記開口部の両側に長孔部を形成し、第２ブロックＢ及び第４ブロックＤの第２蓋片Ｌ，Ｍを折り線ｊ，ｍから山折りし、第１ブロックＡ、第３ブロックＣの各第１蓋片Ｊ，Ｋで形成した蓋片の両側部上に重ね合わせ、第２蓋片の夫々に形成した前記凸片Ｌ１，Ｍ１を、前記蓋片の開口部両側の前記長孔部に差し込んで第２蓋片Ｌ，Ｍの夫々を蓋片に係合するようにしたので、先ず、胴部上を第１蓋片及びこれの長孔部に差し込んだ凸片Ｌ１，Ｍ１の係合作用により、粘着テープ等の封緘手段を必要とすることなく、段ボール箱を閉蓋することができる。
【００１１】
また、本考案では、開梱するには、胴部上を塞ぐ蓋片に形成された開口部に指を差し込んで両側の第１蓋片Ｊ，Ｋを上方に引き抜くことで、第２蓋片Ｌ，Ｍに設けられた凸片Ｌ１，Ｍ１は開口部両側に設けた長孔部から抜き出し、迅速、容易、確実に開蓋して開梱作業を行うことができ、梱包した野菜等を迅速、容易に取り出すことができる。
更に本考案は、テープによる貼着、封緘を必要としないので、段ボール箱の開梱時の傷つき等の不都合が一切生じることがなく、同じ段ボール箱を反復使用することができ、再使用が行える結果、経済的に極めて有利な段ボール箱を得ることができる。
【００１２】
請求項２に係る考案では、請求項１において、第２ブロックＢ及び第４ブロックＤの折り線ｊ，ｍの上側に設けた第２蓋片Ｌ，Ｍの夫々には、前記折り線ｊ，ｍと平行し、これの外側に外側折り線ｎ，ｐを設け、該外側の折り線ｎ，ｐを山折り可能とすることで、第２蓋片Ｌ，Ｍの凸片Ｌ１，Ｍ１を蓋片の長孔から抜き出し易くしたので、請求項１の効果に加えるに、外側の折り線ｎ，ｐで容易に山折りとなり、開口部に指を入れて開蓋する際、折り線ｎ，ｐの部分で山形となることで、凸片Ｌ１，Ｍ１の開口部からの抜脱が容易化し、抜脱時における凸片Ｌ１，Ｍ１が傷むのを防止することができる。
【００１３】
請求項３に係る考案では、請求項１において、第２蓋片Ｌ，Ｍの縁辺の中央部に形成した凸片Ｌ１，Ｍ１の両側には対称的に欠部Ｌ２，Ｌ２，Ｍ２，Ｍ２を設け、第２蓋片Ｌ，Ｍを前記蓋片の両側部上に重ね合わせて凸片Ｌ１，Ｍ１と前記長孔とを係合させた際、蓋片の両側部上に露出する第２蓋片Ｌ，Ｍの引き起こし時の指掛けとしたので、請求項１の効果に加えるに、欠部Ｌ２，Ｌ２，Ｍ２，Ｍ２を介して事前に凸片Ｌ１，Ｍ１を長孔から抜脱準備させることができ、凸片Ｌ１，Ｍ１を傷めることを防止し、段ボール箱の再使用回数を増やすことができる。
【考案を実施するための最良の形態】
【００１４】
本考案を実施するための最良の形態を添付図に基づいて以下に説明する。なお、図面は符号の向きに見るものとする。
図１は、本考案に係る段ボール箱の展開図で、一枚の段ボール紙からなる基板１（ブランク材）を示す図である。
基板１は一枚の段ボール紙を打ち抜いて成形されており、全体としては略横長矩形をなし、横長矩形の上下方向の中間部を短辺方向に３個の折り線ａ，ｂ，ｃで区画し、図の左側から第１ブロックＡ、第２ブロックＢ、第３ブロックＣ、第４ブロックＤを形成する。
第２ブロックＢ、第４ブロックＤの上部は、左右方向に長い長孔状の手掛け孔Ｂ１，Ｄ１を設けた。
【００１５】
各ブロックはＡ〜Ｄは矩形をなし、第１の折り線ａの手前の第１ブロックＡは、左右方向（幅方向）の寸法が大きく、第１の折り線ａと第２の折り線ｂとの間の第２ブロックＢは左右方向の寸法が小さく、第２の折り線ａと第３の折り線ｃとの間の第３ブロックＣは第１ブロックＡと同じ寸法であり、第３の折り線ｃの外側に延びる第４ブロックＤは第２ブロックＢと同じ寸法である。
第１ブロックＡの外側の短辺には折り線ｄを設け、折り線ｄの外側に幅狭の接合片（Ｅ）を一体に連続して設ける。
【００１６】
各ブロックＡ，Ｂ，Ｃ，Ｄの下側で、基板１の長辺方向には、下部折り線ｅ，ｆ，ｇ，ｈを設け、第１ブロックＡの折り線ｅの下側には、下方に山形に突出する底片Ｆを設け、底片Ｆには凸片Ｆ１を有する。
隣接する第２ブロックＢの折り線ｆの下側には、幅が大きい略Ｌ形の底片Ｇを設け、隣接する第３ブロックＣの折り線ｇの下側には、幅一杯で先端部を凹形部Ｈ１とした底片Ｈを設け、隣接する第４ブロックＤの折り線ｈの下側には、前記第２ブロックＢの底片Ｇと左右が対称形状の底片Ｉを設ける。
【００１７】
また、各ブロックＡ〜Ｄの上側で、基板１の長辺方向には、上部折り線ｉ，ｊ，ｋ，ｍを設ける。
第１ブロックＡの上部折り線ｉの上方には、第１蓋片Ｊを連続して延設し、折り線から端縁Ｊ３までの長さは、第２ブロックＢ（第４ブロックＤ）の左右方向の幅の１／２とし、端縁Ｊ３の中央部には欠部Ｊ１を設け、これの両側に折り線ｉ方向に潜る細長い凹部Ｊ２，Ｊ２を設ける。凹部Ｊ２，Ｊ２は、幅方向の内側部分が対称的に一段深く形成されている。
第３ブロックＣは第１ブロックＡと同形状で、折り線ｋの上方に同じ形状、同じ寸法の第１蓋片Ｋを備え、第１蓋片Ｋは、第１ブロックＡの第１蓋片Ｊと同様に端縁Ｋ３と折り線ｋ迄の寸法が、第２ブロックＢ（第４ブロックＤ）の左右方向の幅の１／２であり、端縁Ｋ３には前記と同じ欠部Ｋ１、左右の凹部Ｋ２，Ｋ２を有する。
【００１８】
第２ブロックＢ、第４ブロックＤの上部折り線ｊ，ｍから上方に第２蓋片Ｌ，Ｍを一体に延設する。第２蓋片Ｌ，Ｍは同じ形状であり、左右の幅はブロックＢ，Ｄの略々同じであり、端縁Ｌ３，Ｍ３迄の長さ（図では高さ）は第１蓋片Ｊ，Ｋよりも短い。
第２蓋片Ｌ，Ｍの端縁Ｌ３，Ｍ３と左右方向中央部には凸片Ｌ１，Ｍ１を設け、これの両側には曲がり易くなるように切れ目を設け、凸片Ｌ１，Ｍ１の両側には、欠部Ｌ２，Ｌ２，Ｍ２，Ｍ２を設ける。
以上の第２蓋片Ｌ，Ｍの折り線ｊ，ｍの外側には、上方への幅が狭い第２折り線ｎ，ｐを折り線ｊ，ｍと平行に設ける。
【００１９】
次に以上の基板を折り曲げて梱包用段ボール箱を形成する工程を説明する。
図２〜図５は、底を組み立てる作業を示す説明図で、図２はブロックＡ〜Ｄを折り曲げて胴部を形成する作業の図、図３は底片の半部を折り曲げる図、図４は、完成直前の図、図５は、底が完成した図である。
【００２０】
第１ブロックＡ〜第４ブロックＤを折り線ａ〜ｃから谷折りし、平面視長方形の段ボール箱１の胴部１１を形成し、この際、第１ブロックＡの外側に折り線ｄを介して設けた接合片Ｅを、折り線ｄから折り曲げ、第４ブロックＭの外端部の内面に接着剤等で接合一体化する。
次に、第３ブロックＣの底片Ｈを、矢印（ア）のように折り線ｅから谷折りし、折り曲げた状態を図３に示し、胴部１１の底部の１／２を底片Ｈで塞ぐ。
【００２１】
次に、左右方向の寸法が小さい第２ブロックＢ、第４ブロックＤの底片Ｇ，Ｉを、折り線ｆ、ｈから矢印（イ）、（イ）のように内側に折り曲げる。この状態を図３で示した。
底片Ｈの両側部に左右の底片Ｇ，Ｉの略三角形の基片部Ｇ１，Ｉ１が重なり、底片Ｇ，Ｉの凸片部Ｇ２，Ｉ２の端縁は突き合わされ、これの各外端部と底片Ｈの凹部Ｈ１との間に隙間が形成される。
【００２２】
この状態を図４で示し、矢印（ウ）のように第１ブロックＡの底片Ｆを折り線ｅから山折りし、矢印（ウ）のように隙間に底片Ｆの凸片Ｆ１を差し込む。
これにより底片Ｆ，Ｇ，Ｈ，Ｉは相互に入り組んだ状態となり、相互に係合し、段ボール箱１の底１２を形成することとなる。
【００２３】
図６〜図９は、段ボール箱１０の蓋の組立を示す図であり、図６は、段ボール箱胴部周に第１、第２の蓋片が起立した状態の図、図７は、第１蓋片を折り曲げた状態の図、図８は、第２蓋片を折り曲げ、凸片を第１蓋片を折り曲げて形成した長孔部に挿入する図、図９は完成状態の外観図であり、図１０は、図９の拡大図で、蓋片の内部構造を破線で示した図である。
【００２４】
図６に示すように段ボール箱１０の胴部１を上向きに配置し、先ず、第１ブロックＡ及び第３ブロックＣの上部折り線ｉ，ｋから向かい合った第１蓋片Ｊ，Ｋを矢印（エ）、（エ）に示すように山折りする。
この第１蓋片Ｊ，Ｋを山折りした途中の状態を図７に示した。
第１蓋片Ｊ，Ｋを山折りすることで、図８に示すように第１蓋片Ｊ，Ｋは、水平状態でその端縁Ｊ３，Ｋ３が向かい合って突き合わされ、段ボール箱１０の蓋片１３を形成する。
【００２５】
この状態で、蓋片１３の中央部で元の第１蓋片Ｊ，Ｋの突き合せ部には、前記した欠部Ｊ１，Ｋ１により、指掛け用の開口部１４が形成される。
そして開口部１４の両側部には、前記した凹部Ｊ２，Ｊ２，Ｋ２，Ｋ２により、第１蓋片Ｊ，Ｋの長さ方向と直交する方向に長孔１５，１５が形成されることとなる。
爾後、矢印（オ）、（オ）に示すように、前記した第２ブロックＢ、第４ブロックＭの第２蓋片Ｌ，Ｍを上部折り線ｊ，ｍから山折りする。
この状態を図８で示した。
【００２６】
第２蓋片Ｌ，Ｍは、折り線ｊ，ｍと平行する第２折り線ｎ，ｐを設けているので、該折り線ｎ，ｐの部分からも折ることができ、折り線ｎ，ｐ外側に位置する凸片Ｌ１，Ｍ１は容易に折り曲げられ、蓋片１３に形成した長孔１５，１５に凸片Ｌ１，Ｍ１を挿入することができ、第２蓋片Ｌ，Ｍの中間部を少し折り曲げ、これにより凸片Ｌ１，Ｍ１は容易に長孔１５，１５に挿入することができる。
【００２７】
長孔１５，１５は、凹部Ｊ２，Ｊ２，Ｋ２，Ｋ２が幅が広い幅広部分１５ａ，１５ａと狭い幅狭部分１５ｂ，１５ｂとを有し、また、凸部Ｌ１，Ｍ１は先部が幅が広い槌状とし、長孔１５，１５の幅広部分１５ａ，１５ａに、凸部Ｌ１，Ｍ１の先部を挿入し、凸部Ｌ１，Ｍ１が蓋片１５の底（天井）と略々平行する状態で、幅狭部分１５ｂ，１５ｂに係止され、第２蓋片Ｌ，Ｍは蓋片１３の両端部寄りに上から重ねられて保持される。
【００２８】
以上により、段ボール箱１０の胴部１１の上を塞ぐ蓋片１３の両端寄り部に、蓋片１３による閉蓋状態を維持するロック蓋片１６，１６を形成する。
この状態を図９で示し、図１０はこれを拡大して示した。段ボール箱１０の胴部１１の両側部には、段ボール箱１０を手で掴む手掛け部１９，１９が形成される。
【００２９】
図１１は、本考案の他の実施例を示す説明的斜視図で、開梱作用の説明図を含む図であり、図１２は、開梱後の斜視図である。
本実施例では、ロック蓋片１６，１６に、前記したＬ２，Ｍ２に相当する欠部を有しない構造であり、段ボール箱１０は、蓋片１３の中央部に設けられた開口部１４に指、図では人差し指を上から挿入し、挿入した指先を曲げて開口部１４周辺部の裏面に当て、矢印（カ）に示すように指を持ち上げて蓋片１３の中央部を持ち上げる。
【００３０】
蓋片１３を構成する第１蓋片Ｊ，Ｋは上方に開く方向に持ち上げられ、ロック蓋片１６，１６も左右に開くように持ち上げられる。これによりロック蓋片１６，１６は第２折り線ｎ，ｐから山形に曲げられ、長孔１５，１５に挿入され、長孔１５，１５に係合状態にある凸片Ｍ１，Ｌ１は、斜め上向きに抜かれることとなり、長孔１５，１５から円滑に抜脱される。
これにより開梱され、開梱後の状態を図１２で示した。
開梱後、内部に収納した葉物の野菜類等を取り出す。
【００３１】
以上で明らかなように、本考案に係る段ボール箱は、閉蓋後に蓋片を粘着テープ等で目張りし、閉蓋する必要がなく、梱包、閉蓋が極めて容易な段ボール箱が得られ、また、段ボール箱の開梱作業はテープの剥離作業を一切必要することがなく、指先を蓋片の開口部に挿入して蓋を引き上げれば蓋が開いて開梱され、開梱作業が画期的に容易化する。
また、テープの貼着による閉蓋を行わないので、開梱時に段ボール箱の蓋部分を傷めることが無く、段ボール箱を反復して使用することができる。
【００３２】
尚、上記した実施例では、第１蓋片Ｊ，Ｋに設けた後に開口部１４を形成する欠部Ｊ１，Ｋ１を円弧状とし、楕円、或いは卵形の開口部を形成するようにしたが、欠部の形状は任意であり、この部分を角形に近い対称的な凹形とし、開口部を角孔状としても良い。
【産業上の利用可能性】
【００３３】
本考案に係る梱包用段ボール箱は、主に葉物野菜類等のような軽量物の梱包、搬送に好適である。
【図面の簡単な説明】
【００３４】
【図１】本考案に係る段ボール箱の展開図で、段ボール紙からなる基板（ブランク材）を示す図である。
【図２】底を組み立てる作業を示す説明図で、ブロックＡ〜Ｄを折り曲げて胴部を形成する作業の図である。
【図３】底片の半部を折り曲げる図である。
【図４】完成直前の図である。
【図５】底が完成した図である。
【図６】段ボール箱の蓋の組立を示す図であり、段ボール箱胴部周に第１、第２の蓋片が起立した状態の図である。
【図７】第１蓋片を折り曲げた状態の図である。
【図８】第２蓋片を折り曲げ、凸片を第１蓋片を折り曲げて形成した長孔部に挿入する図である。
【図９】完成状態の外観図である。
【図１０】図９の拡大図で、蓋片の内部構造を破線で示した図である。
【図１１】本考案の他の実施例を示す説明的斜視図で、開梱作用の説明図を含む図である。図１２は、開梱後の斜視図である。
【図１２】図１１の開梱後の斜視図である。
【符号の説明】
【００３５】
１０…段ボール箱、  １１…段ボール箱の胴部、  １２…底、  １３…蓋片、  １４…開口部。
【図１】
0003124032.tif 000003
【図２】
0003124032.tif 000004
【図３】
0003124032.tif 000005
【図４】
0003124032.tif 000006
【図５】
0003124032.tif 000007
【図６】
0003124032.tif 000008
【図７】
0003124032.tif 000009
【図８】
0003124032.tif 000010
【図９】
0003124032.tif 000011
【図１０】
0003124032.tif 000012
【図１１】
0003124032.tif 000013
【図１２】
0003124032.tif 000014